(57)【要約】      （修正有）【課題】内蓋のロックを確実に行え、かつロック状態の点検も容易かつ正確に行える天井点検口を提供する。【解決手段】外枠１０の一辺部に、内蓋２０がヒンジ体を介して回動自在に支持される。内蓋２０の他辺部に、内蓋２０を外枠１０に固定するロック装置２１が設けられる。ロック装置２１は、外枠１０に対するロック位置と開放位置の間で係合片２４を回動可能な錠本体２２と、錠本体２２のキー穴に装着されて係合片２４を回動可能なキー２５と、を具備し、ロック位置の施錠時のみキー２５をキー穴２３ａに対して挿脱可能とした。【選択図】図２Ａ
0003215587.tif 000002
【実用新案登録請求の範囲】
【請求項１】
天井材の開口部に取付けられた正方形または長方形の外枠と、前記外枠内に開閉自在に取付けられた内蓋と、を具備した天井点検口であって、
前記内蓋は、前記外枠内に嵌合される内枠と、前記内枠内を閉鎖する閉鎖材とを有し、
一辺部の前記外枠および内枠に、前記内蓋を下方に開閉自在に支持するヒンジ体を有し、
他辺部の前記内枠に、前記内蓋を前記外枠に固定する回転式ロック装置を有し、
前記ロック装置は、
ロック軸を介して係合片を、前記外枠に係合されるロック位置と、前記係合片が前記外枠から離脱される解除位置の間で回動可能な錠本体と、前記ロック軸のキー穴に装着されて前記ロック軸を回動可能なキーと、を具備し、前記ロック位置の施錠時にのみ前記キーを前記キー穴に挿脱可能とした
ことを特徴とする天井点検口。
【請求項２】
少なくとも互いに対向する前記内枠の内面に、前記閉鎖材を下方から支持する閉鎖材受け部が形成され、
前記内枠に、前記閉鎖材受け部に対向して配置され閉鎖材受け部との間で前記閉鎖材を挟持する加圧面材を、前記内枠の略全長にわたって設けた
ことを特徴とする請求項１記載の天井点検口。
【請求項３】
前記外枠は、下端側から開口部外側に突出されて前記天井材を下方から支持する壁材受け部と、上端側から前記内枠側に突出されて、前記内枠の浮き上がりを防止するあおり防止部と、を有し、
前記壁材受け部と前記天井材の間、前記内枠と前記あおり防止部の間、前記閉鎖材受け部と前記閉鎖材の間、にそれぞれ弾性気密材を介在させた
ことを特徴とする請求項２に記載の天井点検口。
【請求項４】
前記外枠および前記内枠は、アルミニウム合金製の形材からなり、
前記ヒンジ体は、一辺部の前記内枠で前記外枠側に突出されたヒンジ部と、一辺部の前記外枠で前記ヒンジ部の先端側が回動自在に係合されるヒンジ受け部と、前記外枠に設けられて前記ヒンジ部の浮き上がりを規制する脱落防止具と、を具備し、
前記ヒンジ部は、一辺部の前記内枠に略全長にわたって形成されるとともに、前記ヒンジ受け部は、全辺部の前記外枠に略全長にわたって形成された
ことを特徴とする請求項１〜３のいずれかに記載の天井点検口。
【考案の詳細な説明】
【技術分野】
【０００１】
本考案は、天井点検口に関する。
【背景技術】
【０００２】
天井点検口は、天井壁面に形成された正方形または長方形の開口部に、外枠が内縁に沿って取付けられ、この外枠内に内蓋が開閉可能に取付けられたものである。この内蓋は、内枠に閉鎖材が取付けられて閉鎖されている。そして外枠および内枠の一辺部に、ヒンジ体を介して内蓋が開閉自在および離脱自在に取付けられ、外枠の他辺部に、内蓋を外枠に固定するロック装置が取付けられている。
【考案の概要】
【考案が解決しようとする課題】
【０００３】
このような天井点検口が、人通りが多く、また風雨が吹き込みやすく、さらに振動が多いような厳しい環境下、たとえば駅の構内や市場の建屋などに設置されている場合、内蓋が何らかの理由で開放され、内蓋や内枠、閉鎖材が落下する事故が発生すると、通行人や使用者に大きい危険を及ぼすおそれがある。そのため、このような天井点検口は、定期的な点検やメンテナンスの後に、その閉鎖状態の厳重な確認が必要である。
【０００４】
本考案は、内蓋のロックを確実に行え、かつ閉鎖状態の点検も容易でかつ正確に行える天井点検口を提供することを目的とする。
【課題を解決するための手段】
【０００５】
請求項１に記載の考案は、天井材の開口部に取付けられた正方形または長方形の外枠と、前記外枠内に開閉自在に取付けられた内蓋と、を具備した天井点検口であって、
前記内蓋は、前記外枠内に嵌合される内枠と、前記内枠内を閉鎖する閉鎖材とを有し、一辺部の前記外枠および内枠に、前記内蓋を下方に開閉自在に支持するヒンジ体を有し、他辺部の前記内枠に、前記内蓋を前記外枠に固定する回転式ロック装置を有し、ロック軸を介して係合片を、前記外枠に係合されるロック位置と、前記係合片が前記外枠から離脱される解除位置の間で回動可能な錠本体と、前記ロック軸のキー穴に装着されて前記ロック軸を回動可能なキーと、を具備し、前記ロック位置の施錠時にのみ前記キーを前記キー穴に挿脱可能としたことを特徴とする。
【０００６】
上記考案によれば、天井点検口での作業終了後、キーがキー穴から抜き出されるだけで、係合片がロック位置にあって内蓋が外枠にロックされる。点検作業でも、キーがキー穴に差し込まれていない状態を目視するだけで、内蓋が外枠にロックされている状態を容易かつ正確にチェックすることができる。
【０００７】
また請求項２記載の考案は、請求項１記載の構成において、少なくとも互いに対向する前記内枠の内面に、前記閉鎖材を下方から支持する閉鎖材受け部が形成され、前記内枠に、前記閉鎖材受け部に対向して配置され閉鎖材受け部との間で前記閉鎖材を挟持する加圧面材を、前記内枠の略全長にわたって設けたものである。上記構成によれば、風雨の強く吹き込む環境下や振動の多い環境下に設置された天井点検口であっても、長尺の加圧面材と閉鎖材受け部の間で閉鎖材が押さえられて内枠に強固に固定されるので、閉鎖材が内枠から浮き上がったり、剥離して落下するのを未然に防止することができる。
【０００８】
さらに請求項３記載の考案は、請求項２記載の構成において、前記外枠は、下端側から開口部外側に突出されて前記天井材を下方から支持する壁材受け部と、上端側から前記内枠側に突出されて、前記内枠の浮き上がりを防止するあおり防止部と、を有し、前記壁材受け部と前記天井材の間、前記内枠と前記あおり防止部の間、前記閉鎖材受け部と前記閉鎖材の間、にそれぞれ弾性気密材を介在させたものである。上記構成によれば、第１〜第３の弾性気密材とにより、天井点検口における気密性を確保して、風雨の吹き込み防止や振動の緩衝が実現でき、天井点検口の省エネ性能を向上することができる。また天井点検口の耐用年数を伸ばすことができる。
【０００９】
さらにまた請求項４記載の考案は、請求項１〜３のいずれかに記載の構成において、前記外枠および前記内枠は、アルミニウム合金製の形材からなり、前記ヒンジ体は、一辺部の前記内枠で前記外枠側に突出されたヒンジ部と、一辺部の前記外枠で前記ヒンジ部の先端側が回動自在に係合されるヒンジ受け部と、前記外枠に設けられて前記ヒンジ部の浮き上がりを規制する脱落防止具と、を具備し、  前記ヒンジ部は、一辺部の前記内枠に略全長にわたって形成されるとともに、前記ヒンジ受け部は、全辺部の前記外枠に略全長にわたって形成されたものである。上記構成によれば、ヒンジ体が一辺部の内枠の略全長にわたって形成されることにより、十分な強度を確保して耐久性をさらに向上させ、天井点検口の耐用年数を伸ばすことができる。また天井点検口の安全性も向上させることができる。
【考案の効果】
【００１０】
請求項１記載の考案によれば、ロック位置の施錠時にのみ前記キーを前記キー穴に挿脱可能としたロック装置を設けたので、人通りが多く、また風雨が吹き込みやすく、さらに振動が多いような厳しい環境下に設けられた天井点検口であっても、キーがキー穴に差し込まれていない施錠状態を視認するだけで、内蓋がロック状態にあることを容易に確認できる。したがって、作業後の内蓋のロックを確実に行うことができるとともに、点検作業を迅速かつ正確に行うことができる。
【図面の簡単な説明】
【００１１】
【図１Ａ】本考案に係る天井点検口の実施例を示す底面図である。
【図１Ｂ】図１に示すＡ−Ａ断面図である。
【図１Ｃ】天井点検口の左側面図である。
【図１Ｄ】天井点検口の背面図である。
【図２Ａ】図１Ｂに示すＢ部拡大図である。
【図２Ｂ】図１Ａに示すＣ部拡大図である。
【図３Ａ】外枠と内枠とハンガー取付具を示す横断面図である。
【図３Ｂ】図３Ａに示すＤ−Ｄ断面図である。
【図４Ａ】ヒンジ体の横断面図である。
【図４Ｂ】内蓋の開放状態を示すヒンジ体の横断面図である。
【図４Ｃ】図４Ｂに示すＥ−Ｅ矢視図である。
【考案を実施するための形態】
【００１２】
以下、本考案の実施例に係る天井点検口の実施例を図面に基づいて説明する。
【００１３】
図１Ａに示すように、天井材（石膏ボード材やスパンドレル）１１の所定位置に、正方形の開口部１２が形成されている。この天井点検口は、開口部１２の内縁部に沿って取付けられた正方形の枠状の外枠１０と、この外枠１０内に片開き式に下方に開閉可能に設けられた内蓋２０と、を具備している。この内蓋２０は、正方形枠状の内枠１４内が閉鎖材（石膏ボード材やスパンドレル）１３により閉鎖されている。なお、これら開口部１２、外枠１０および内蓋２０（内枠１４）は長方形であってもよい。
【００１４】
（外枠、内枠）
図３Ａに示すように、外枠１０および内枠１４は、引抜成形または押出成形により形成されたアルミニウム合金製の形材で形成されている。外枠１０は、高さ方向の縦桟１０ａと、縦桟１０ａの下端部から内枠１４側と天井材１１側にそれぞれ突出される底フランジ部１０ｂと、縦桟１０ａの上端部から内枠１４側に突出して内枠１４の浮上を規制するあおり防止部１０ｃとを具備し、横断面が縦長の「ユ」の字形断面に形成されている。内枠１４は、高さ方向の縦桟１４ａと、縦桟１４ａの下端部から外枠１０側および閉鎖材１３側にそれぞれ突出される底フランジ部１４ｂと、縦桟１４ａの上端部から外枠１０側に折り曲げられたストッパ部１４ｃとを具備している。そして内枠１４の横断面が略逆「Ｔ」の字形断面に形成されている。またストッパ部１４ｃは、あおり防止部１０ｃにより上昇が規制されている。
【００１５】
図３Ｂに示すように、外枠１０の底フランジ部１０ｂは、内枠１４側に突出されて内枠１４の底フランジ部１４ｂの浮き上がりを規制する内枠規制部１０ｄと、天井材１１側に突出されて天井材１１を下方から支持する壁材受け部１０ｅと、を有している。また、内枠１４の底フランジ部１４ｂは、閉鎖材１３側に突出されて閉鎖材１３を下方から支持する閉鎖材受け部１４ｄと、外枠１０側に突出され外枠１０の内枠規制部１０ｄに浮き上がりが規制される外縁閉鎖部１４ｅと、を有している。なお、より具体的に説明すると、前述した浮き上がりを規制するのは、前記内枠規制部１０ｄおよび後述するアングル係止部３３ａの下面である。
【００１６】
図１Ｃ，図１Ｄに示すように、四辺の外枠１０の各コーナ部にＬ形の連結金具１５が取付けられて、隣接する外枠１０が互いに連結されている。
【００１７】
図３Ａにおいて、１６は、外枠１０を天井材１１に取付ける複数のハンガー取付具である。これらハンガー取付具１６は、外枠１０に取付けられたハンガー金具１６ａと、ハンガー金具１６ａの上端部の雌ねじ部に装着されるハンガーボルト１６ｂと、を有している。また１０のあおり防止部１０ｃの上面に沿ってあり溝１０ｆが形成されており、ハンガー金具１６ａの基端部があり溝１０ｆに移動可能に嵌合されて立設される。そしてハンガーボルト１６ｂは、その先端部が、
開口部１２の周囲の天井材１１の上面に設置された野縁プレート１６ｃを押圧している。すなわち、開口部１２の周囲の天井材１１は、ハンガーボルト１６ｂに押圧された野縁プレート１６ｃと、壁材受け部１０ｅとに挟み込まれている。
【００１８】
図１Ａに示すように、後辺部（一辺部）の外枠１０に、ヒンジ体３１を介して内枠１４の後辺部（一辺部）が回動自在で着脱自在に支持されており、ヒンジ体により、内蓋２０がヒンジ体３１を中心に下方に開閉される。また前辺部（他辺部）の内枠１４の中央部に、内蓋２０を外枠１０に固定する回転式のロック装置２１が設けられている。
【００１９】
（ロック装置）
図２Ａ，図２Ｂに示すように、ロック装置２１は、内枠１４および閉鎖材１３の中央部に形成された取付穴（図示せず）に、取付ナット２７や取付金具２６、錠カバー２８を介して取付けられている。ロック装置２１は、ロック軸２３を所定範囲で回動自在に支持する錠本体２２と、ロック軸２３の上端部に取付けられた係合片２４と、ロック軸２３の下端面に開口されたキー穴２３ａと、キー穴２３ａに装着されてロック軸２３を略９０度の範囲で回転可能なキー２５と、を具備している。そして、キー２５の回転操作により、ロック軸２３を介して係合片２４をロック位置（イ）と解除位置（ロ）の略９０度の範囲で回動させることができる。ここでロック位置（イ）は、破線で示すように、係合片２４が外枠１０のあおり防止部１０ｃの上面に係合される施錠位置であり、解除位置（ロ）は、仮想線で示すように、外枠１０から外れた解放位置である。そしてこのロック装置２１は、ロック位置（イ）における施錠時にのみ、キー２５をキー穴２３ａに挿入・離脱可能なように構成されている。
（閉鎖材）
閉鎖材１３は、四辺部が内枠１４の閉鎖材受け部１４ｄに下方から支持されるとともに、左右側辺の内枠１４に設けられたＬ形断面で長尺状のアングル材（加圧面材）１７の水平板部１７ｂを介して上方から加圧されている。これにより、閉鎖材１３が閉鎖材受け部１４ｄとアングル材１７との間で挟持される。アングル材１７は、垂直板部１７ｃが内枠１４の縦桟１４ａの内面側に、上下方向の長穴１４ｆおよび取付ビス１７ａを介して上下位置調整可能に取付けられている。なお、この上下位置調整可能のためには、アングル材１７に、長穴１４ｆなどの穴（丸穴でもよい）を製造工場ではなく設置現場で形成するようにしてもよい。したがって、左右側辺の対称位置に配置されかつ十分な加圧面積を有するアングル材１７の水平板部１７ｂにより、閉鎖材１３が上方から押圧され閉鎖材受け部１４ｄとの間で挟持されることで、天井点検口が強い風雨に晒されたり、振動の多いような過酷な環境下に設置されても、内枠１４から閉鎖材１３が剥離されたり、離脱して落下するのを未然に防止することができる。これにより、安全な天井点検口を提供でき、耐用年数を伸ばすことができる。
【００２０】
（ヒンジ体）
図４Ａに示すように、ヒンジ体３１は、後辺部（一辺部）の内枠１４において、底フランジ部１４ｂの外縁閉鎖部１４ｅ上面から外枠１０側に突出されて下面が開口する鍵形断面に形成されたヒンジ部３２と、後辺部（一辺部）の外枠１０において、底フランジ部１０ｂの内枠規制部１０ｄから立ち上げられてヒンジ部３２に係合するヒンジ受け部３３と、外枠１０の内面に取付けられてヒンジ部３２の浮き上がりを規制する脱落防止部材３４と、を具備している。そして、ヒンジ部３２が、ヒンジ受け部３３、内枠規制部１０ｄ、縦桟１０ａおよび脱落防止部材３４に囲まれた空間部に回動可能に嵌合されている。これらヒンジ部３２は、図１Ａに示すように、後辺部（一辺部）の内枠１４の略全長にわたって長尺状に形成されている。また、およびヒンジ受け部３３は、四辺部（全辺部）の外枠１０の略全長にわたって長尺状に形成されている。そしてヒンジ部３２は、図４Ａ，図４Ｂに示すように、外縁閉鎖部１４ｅから外側上方に傾斜姿勢で立設された立ち上がり部３２ａと、立ち上がり部３２ａの先端から外方に延び、次いで下方に折り曲げられ、さらに内方に折り曲げられて開口されたチャンネル部３２ｂと、を有している。またヒンジ受け部３３は、内枠規制部１０ｄの上端から内枠１４側に折り曲げられたアングル係止部３３ａを有している。
【００２１】
図４Ｂに示すように、内蓋２０がヒンジ体３１を中心として下方に回動され開放された状態では、チャンネル部３２ｂがアングル係止部３３ａおよび前記内枠規制部１０ｄに係合されて内蓋２０の落下が防止される。
【００２２】
また図４Ｃに示すように、脱落防止部材３４は、縦桟１０ａに形成された切起こし部３４ａに止めビス３４ｂを介して規制片３４ｃが回動可能に取付けられている。そして、規制片３４ｃを、実線で示す垂下状態の規制姿勢から、仮想線で示す傾斜状態の退避姿勢に回動することにより、チャンネル部３２ｂをヒンジ受け部３３から斜め上方に離脱させて、内蓋２０を外枠１０から取り外すことができる。
【００２３】
上記ヒンジ体３１によれば、後辺部の外枠１０の略全長にわたって長尺状に形成されるので、アルミニウム合金製の形材であっても十分な強度を確保することができ、耐久性を確保することができる。
【００２４】
（弾性気密部材）
図３Ａ，図３Ｂに示すように、この天井点検口の各部材の隙間に、第１〜第３の弾性気密材４１Ａ〜４１Ｃが外枠１０または内枠１４の略全長にわたって介在されている。すなわち、壁材受け部１０ｅと天井材１１の間に第１の弾性気密材４１Ａが外枠１０の略全長にわたって介装されている。また内枠１４のストッパ部１４ｃと外枠１０のあおり防止部１０ｃの間に第２の弾性気密材４１Ｂが外枠１０の略全長にわたって介装されている。さらに内枠１４の閉鎖材受け部１４ｄと閉鎖材１３の間に第２の弾性気密材４１Ｂが内枠１４の略全長にわたって介装されている。これら第１〜第３の弾性気密材４１Ａ〜４１Ｃにより、風雨の侵入を防止するとともに、周囲環境に起因する振動を緩衝、吸収し、気密性を確保することができる。これにより、耐久性を向上させて天井点検口の耐用年数を伸ばし、省エネ効率を向上させることができる。
【００２５】
（実施例の効果）
上記実施例によれば、回転式のロック装置２１が、ロック位置（イ）の施錠状態でのみ、キー穴２３ａからキー２５を抜き出し可能に構成されるので、天井点検口での作業終了後、キー２５がキー穴２３ａから抜き出されるだけで、ロック装置２１により内蓋２０が外枠１０内に正常にロックされる。また点検作業でも、キー２５がキー穴２３ａに差し込まれていない状態を目視により確認するだけで、ロック装置２１が施錠状態にあることが一見してわかるので、容易かつ正確に内蓋２０のロック状態を判別することができる。
【００２６】
また内蓋２０において、内枠１４内に配置された閉鎖材１３は、閉鎖材受け部１４ｄにより下方から支持されるとともに、左右側辺の長尺のアングル材１７により面接触で上方から押さえられている。したがって、風雨が強く振動の多いような厳しい環境下に設置された天井点検口であっても、内枠１４内に閉鎖材１３を確実に保持することができ、閉鎖材１３が内枠１４から剥離したり、離脱して落下するのを未然に防止することができる。これにより、厳しい環境下であっても、安全な天井点検口を提供することができ、天井点検口の耐用年数を伸ばすことができる。
【００２７】
さらに外枠１０の壁材受け部１０ｅと天井材１１の間と、内枠１４のストッパ部１４ｃとあおり防止部１０ｃの間と、閉鎖材受け部１４ｄと閉鎖材１３と、の間に第１〜第３の弾性気密材４１Ａ〜４１Ｃを介在させたので、天井点検口における気密性を確保するとともに、風雨の吹き込みを防止し、また振動を緩衝、軽減することができ、さらに省エネ性能を向上することができる。
【００２８】
さらにまた外枠１０および内枠１４をアルミニウム合金製の形材により形成して軽量化を図っている。そして、ヒンジ体３１を構成するヒンジ部３２とヒンジ受け部３３とが、一辺部の内枠１４の全長にわたって長尺状に形成されているので、ヒンジ体３１に十分な強度を確保して耐久性を向上させることができ、天井点検口の耐用年数を伸ばすことができる。
【符号の説明】
【００２９】
１０    外枠
１０ｃ  あおり防止部
１０ｄ  内枠規制部
１１    天井材
１２    開口部
１３    閉鎖材
１４    内枠
１４ｃ  ストッパ部
１４ｄ  閉鎖材受け部
１５    連結金具
１６    ハンガー取付具
１７    アングル材（加圧面材）
１７ｂ  水平板部
２０    内蓋
２１    ロック装置
２２    錠本体
２３ａ  キー穴
２３    ロック軸
２４    係合片
２５    キー
３１    ヒンジ体
３２    ヒンジ部
３３    ヒンジ受け部
３４    脱落防止部材
３４ｃ  規制片
４１Ａ  第１の弾性気密材
４１Ｂ  第２の弾性気密材
４１Ｃ  第３の弾性気密材
【図１Ａ】
0003215587.tif 000003
【図１Ｂ】
0003215587.tif 000004
【図１Ｃ】
0003215587.tif 000005
【図１Ｄ】
0003215587.tif 000006
【図２Ａ】
0003215587.tif 000007
【図２Ｂ】
0003215587.tif 000008
【図３Ａ】
0003215587.tif 000009
【図３Ｂ】
0003215587.tif 000010
【図４Ａ】
0003215587.tif 000011
【図４Ｂ】
0003215587.tif 000012
【図４Ｃ】
0003215587.tif 000013